(57)【要約】【課題】複数の映像を時分割表示することにより複数の視聴者が同時視聴可能な映像表示システムにおいて、各視聴者が自分の視聴している映像に関するコマンドをリモコンにより容易に入力できるようにする。【解決手段】複数の映像を時分割表示する表示装置と、複数の映像の時分割表示に同期して開閉するシャッター装置と、各映像に関するコマンドを入力可能な複数の動作モードに切り替え可能であって、各映像に対応する複数のタッチ操作可能なボタンを表示するタッチパネルを有するリモコン装置と、を有する映像表示システムであって、タッチパネルに表示される複数のボタンは映像の時分割表示と同期して時分割表示され、各ボタンを操作すると、該ボタンに対応する映像に関するコマンドを入力可能な動作モードにリモコン装置が切り替わる。【選択図】図１
2011151457.tif 000002
【特許請求の範囲】
【請求項１】
Ｎ個（Ｎは２以上の整数）の映像を時分割表示する表示装置と、
前記映像の各々に対応するＮ種類のシャッター装置であって、対応する映像が前記表示装置に表示されている期間のみ光を透過する開状態となり、それ以外の期間は光を遮断する閉状態となるシャッター装置と、
前記表示装置に所定のコマンドを入力可能なリモコン装置と、
を有し、複数の観察者がそれぞれ前記各シャッター装置を介して前記表示装置に表示される映像を観察することにより該シャッター装置に対応する映像を各観察者が同時に観察することができる映像表示システムであって、
前記リモコン装置は、
前記映像の各々に対応するＮ個の動作モードに切り替え可能であり、ｎ番目（ｎは１、２、・・・Ｎ）の動作モードではｎ番目の映像に関するコマンドを入力可能であり、
前記動作モードの各々に対応するＮ個のタッチ操作可能なボタンを異なる位置に表示する表示部、又は、Ｎ個の押下操作可能なボタン及び該ボタンの各々を指し示す前記動作モードの各々に対応するＮ個の標識を表示する表示部、を有し、前記表示部に表示されるｎ番目のボタン、又は、前記表示部に表示されるｎ番目の標識により指し示されるボタン、を操作することにより前記リモコン装置をｎ番目の動作モードに切り替え可能であり、
前記表示部は、ｎ番目の映像が前記表示装置に表示されている期間に、ｎ番目のボタンのみ、又は、ｎ番目の標識のみ、を表示することにより、前記表示装置におけるＮ個の映像の時分割表示に同期して前記Ｎ個のボタン又は前記Ｎ個の標識を時分割表示することを特徴とする映像表示システム。
【請求項２】
前記リモコン装置は、前記複数の映像の各々を制御するコマンドを入力するためのＮ種類のグラフィカルユーザインターフェースを表示可能なタッチパネルを備え、
前記タッチパネルは、前記リモコン装置がｎ番目の動作モードに切り替えられた場合、ｎ番目の映像が前記表示装置に表示されている期間に、ｎ番目の映像を制御するコマンドを入力するためのグラフィカルユーザインターフェースのみを表示することを特徴とする請求項１に記載の映像表示システム。
【請求項３】
Ｎ個（Ｎは２以上の整数）の映像を時分割表示する表示装置と、
前記映像の各々に対応するＮ種類のシャッター装置であって、対応する映像が前記表示装置に表示されている期間のみ光を透過する開状態となり、それ以外の期間は光を遮断する閉状態となるシャッター装置と、
前記映像の各々に対応するＮ個の動作モードに切り替え可能であり、ｎ番目（ｎは１、２、・・・Ｎ）の動作モードではｎ番目の映像に関するコマンドを入力可能なリモコン装置であって、前記映像の各々に対応するＮ個のタッチ操作可能なボタンを異なる位置に表示する表示部、又は、Ｎ個の押下操作可能なボタン及び該ボタンの各々を指し示す前記映像の各々に対応するＮ個の標識を表示する表示部、を有するリモコン装置と、
を有し、複数の観察者がそれぞれ前記各シャッター装置を介して前記表示装置に表示される映像を観察することにより該シャッター装置に対応する映像を各観察者が同時に観察することができる映像表示システムの制御方法であって、
前記表示部に、ｎ番目の映像が前記表示装置に表示されている期間に、ｎ番目のボタンのみ、又は、ｎ番目の標識のみ、を表示させることにより、前記表示装置におけるＮ個の映像の時分割表示に同期して前記Ｎ個のボタン又は前記Ｎ個の標識を時分割表示させるステップと、
前記Ｎ個のボタンのいずれかのボタンが操作された場合に、該ボタン又は該ボタンを指し示す標識に対応する映像に関するコマンドを入力可能な動作モードに前記リモコン装置を切り替えるステップと、
を有することを特徴とする映像表示システムの制御方法。
【発明の詳細な説明】
【技術分野】
【０００１】
本発明は、映像表示システム及びその制御方法に関する。
【背景技術】
【０００２】
映像を時分割表示切り替え方式で表示する表示装置と時分割表示切り替えと同期して開閉する複数のシャッターを用いることで、１つの表示装置で複数の視聴者が視聴者毎に異なる映像を同時に視聴することができる映像表示システムが提案されている。特許文献１には、一つの画面によって複数の者が、同時に、異なる画像を観察できる画像再生方式が提案されている。
【先行技術文献】
【特許文献】
【０００３】
【特許文献１】特開平６−１７５６３１号公報
【発明の概要】
【発明が解決しようとする課題】
【０００４】
このような映像表示システムにおいて各視聴者が視聴している映像に関する操作を行うためには、視聴者毎又は映像毎に複数個のリモコンが必要になる。そして、各視聴者は自分の視聴している映像に関するコマンドを入力するために、複数のリモコンの中から操作すべきリモコンを探す必要があり、手間がかかるという問題がある。
【０００５】
そこで、本発明は、複数の映像を時分割表示することにより複数の視聴者が同時視聴可能な映像表示システムにおいて、各視聴者が自分の視聴している映像に関するコマンドをリモコンにより容易に入力できるようにすることを目的とする。
【課題を解決するための手段】
【０００６】
本発明は、Ｎ個（Ｎは２以上の整数）の映像を時分割表示する表示装置と、
前記映像の各々に対応するＮ種類のシャッター装置であって、対応する映像が前記表示装置に表示されている期間のみ光を透過する開状態となり、それ以外の期間は光を遮断する閉状態となるシャッター装置と、
前記表示装置に所定のコマンドを入力可能なリモコン装置と、
を有し、複数の観察者がそれぞれ前記各シャッター装置を介して前記表示装置に表示される映像を観察することにより該シャッター装置に対応する映像を各観察者が同時に観察することができる映像表示システムであって、
前記リモコン装置は、
前記映像の各々に対応するＮ個の動作モードに切り替え可能であり、ｎ番目（ｎは１、２、・・・Ｎ）の動作モードではｎ番目の映像に関するコマンドを入力可能であり、
前記動作モードの各々に対応するＮ個のタッチ操作可能なボタンを異なる位置に表示する表示部、又は、Ｎ個の押下操作可能なボタン及び該ボタンの各々を指し示す前記動作モードの各々に対応するＮ個の標識を表示する表示部、を有し、前記表示部に表示されるｎ番目のボタン、又は、前記表示部に表示されるｎ番目の標識により指し示されるボタン、を操作することにより前記リモコン装置をｎ番目の動作モードに切り替え可能であり、
前記表示部は、ｎ番目の映像が前記表示装置に表示されている期間に、ｎ番目のボタンのみ、又は、ｎ番目の標識のみ、を表示することにより、前記表示装置におけるＮ個の映像の時分割表示に同期して前記Ｎ個のボタン又は前記Ｎ個の標識を時分割表示することを特徴とする映像表示システムである。
【０００７】
本発明は、Ｎ個（Ｎは２以上の整数）の映像を時分割表示する表示装置と、
前記映像の各々に対応するＮ種類のシャッター装置であって、対応する映像が前記表示装置に表示されている期間のみ光を透過する開状態となり、それ以外の期間は光を遮断する閉状態となるシャッター装置と、
前記映像の各々に対応するＮ個の動作モードに切り替え可能であり、ｎ番目（ｎは１、２、・・・Ｎ）の動作モードではｎ番目の映像に関するコマンドを入力可能なリモコン装置であって、前記映像の各々に対応するＮ個のタッチ操作可能なボタンを異なる位置に表示する表示部、又は、Ｎ個の押下操作可能なボタン及び該ボタンの各々を指し示す前記映像の各々に対応するＮ個の標識を表示する表示部、を有するリモコン装置と、
を有し、複数の観察者がそれぞれ前記各シャッター装置を介して前記表示装置に表示される映像を観察することにより該シャッター装置に対応する映像を各観察者が同時に観察することができる映像表示システムの制御方法であって、
前記表示部に、ｎ番目の映像が前記表示装置に表示されている期間に、ｎ番目のボタンのみ、又は、ｎ番目の標識のみ、を表示させることにより、前記表示装置におけるＮ個の映像の時分割表示に同期して前記Ｎ個のボタン又は前記Ｎ個の標識を時分割表示させるステップと、
前記Ｎ個のボタンのいずれかのボタンが操作された場合に、該ボタン又は該ボタンを指し示す標識に対応する映像に関するコマンドを入力可能な動作モードに前記リモコン装置を切り替えるステップと、
を有することを特徴とする映像表示システムの制御方法である。
【発明の効果】
【０００８】
本発明によれば、複数の映像を時分割表示することにより複数の視聴者が同時視聴可能な映像表示システムにおいて、各視聴者が自分の視聴している映像に関するコマンドをリモコンにより容易に入力できるようになる。
【図面の簡単な説明】
【０００９】
【図１】実施例の映像表示システムの構成を示すブロック図
【図２】実施例の映像表示システム各部の動作タイミングを示す図
【図３】実施例のテレビ装置、シャッター式眼鏡及びリモコンの動作例を示す図
【図４】実施例のリモコン装置の動作を示すフローチャート
【図５】実施例のテレビ装置の動作を示すフローチャート
【図６】実施例のリモコン装置のタッチパネルＳＷの構成を示すブロック図
【発明を実施するための形態】
【００１０】
以下、本発明の実施例について説明する。本実施例は、本発明をテレビ放送受信装置に適用した例である。本実施例の映像表示システムは、時分割表示切り替え方式の表示装置及び該表示装置の時分割表示に同期して開閉するシャッター装置を有し、複数の映像を複数の視聴者が同時視聴することができるシステムである。本実施例では同時視聴可能な映像の数を３とし、３つの映像をそれぞれコンテンツＡ、Ｂ及びＣと呼ぶ。
【００１１】
＜全体構成＞
図１は本実施例に係る映像表示システムの全体構成を説明するためのブロック図である。本発明による映像表示システムは、概略、テレビ装置１００、リモコン装置２００及びシャッター式眼鏡３００から構成される。テレビ装置１００は３つの映像を時分割切り替え方式で表示する表示装置である。シャッター式眼鏡３００は、該３つの映像に対応して複数あり、対応する映像がテレビ装置１００に表示されている期間のみ光を透過する開状態となり、それ以外の期間は光を遮断する閉状態となるシャッター装置である。リモコン装置２００は、ユーザが操作することによってテレビ装置１００に所定のコマンドを入力可能なコントローラ装置である。所定のコマンドとは、例えばチャンネル切り替えやボリ
ューム調整などの映像に関する制御を実行させるコマンドを含む。その他、テレビ装置１００の電源ＯＮ／ＯＦＦ等のテレビ装置１００全体に関する制御を実行させるコマンドを含んで良い。
【００１２】
＜テレビ装置１００＞
まず、テレビ装置１００の構成について説明する。テレビ装置１００は、テレビ放送映像を含む各種映像や画像の信号を複数入力可能であり、そのうち３つの映像信号を時分割して表示することができる。図示しないアンテナからの放送信号はチューナ１０１で受信及び選局され、選局されたチャンネルの放送番組の映像及び音声の信号が入力セレクタ１０５に供給される。メディアカード１０３は、デジタルカメラ等で撮影した画像や映像などのデータを読み込み、映像信号として入力セレクタ１０５に供給する。外部入力１０４は、テレビ装置１００に接続されるＤＶＤプレーヤやビデオカメラなどの外部機器から出力される映像及び音声の信号を入力セレクタ１０５に供給する。Ｗｅｂブラウザ１０２は、インターネットブラウザであり、ＨＴＭＬファイル等をレンダリングして得られた画像や音声の信号を入力セレクタ１０５に供給する。
入力セレクタ１０５は、後述するリモコン装置２００から送信される制御信号に応じて、上記各種映像ソースからの入力信号のうち、３系統の入力処理部１１１、１１２及び１１３へ送る入力信号を選択する。
入力処理部１１１、１１２及び１１３は、ＴＶ制御部１２０の制御により、上記各種映像ソースからの入力信号を処理し、メモリ１２１へ出力する。これら入力処理部１１１、１１２及び１１３で処理される画像、映像及び音声等のデータが、複数同時視聴に係るコンテンツＡ、Ｂ及びＣに対応する。
ＴＶ制御部１２０は、上記入力処理部１１１、１１２及び１１３、入力セレクタ１０５、メモリ１２１、画質制御部１２２、映像時分割処理部１２３、音声符号処理部１２４、ＴＶ送信部１２６及びＴＶ受信部１２７の各ブロックを制御する。制御内容は、後述する。
メモリ１２１は、入力処理部１１１、１１２及び１１３からの映像データ及び音声データの一時記憶として使用されるメモリである。入力処理部１１１、１１２及び１１３からの映像データは、一時的にこのメモリに蓄積され、映像時分割処理部１２３からの読み出しによって逐次出力される。また、音声データも、音声符号処理部１２４からの読み出しによって逐次出力される。
画質制御部１２２は、メモリ１２１から読み出した映像データに対し、明るさやコントラスト等の画質の調整を行う。
映像時分割処理部１２３は、所定のタイミングでメモリ１２１から映像データを読み出し、表示パネル１３０に出力する。
ＴＶ制御部１２０は、表示中のコンテンツのコンテンツ情報をＴＶ送信部１２６に送る。ここで、コンテンツ情報とは、コンテンツの識別情報やコンテンツに対応する映像ソースの識別情報（チューナ１０１、Ｗｅｂブラウザ１０２、メディアカード１０３及び外部入力１０４テレビそれぞれに割り当てられた識別情報）等である。
表示パネル１３０は、映像時分割処理部１２３で生成された時分割した映像を表示する。例えば各コンテンツの映像をフレームレート３０ｆｐｓで表示させる場合、その３倍の９０ｆｐｓで各コンテンツの映像を例えばＡ→Ｂ→Ｃの順で切り替えながら順次表示する。
音声符号処理部１２４は、表示パネル１３０に表示する映像と同期を取るように音声データの出力タイミングを調整し、メモリ１２１から読み出した音声データをＴＶ送信部１２６へ送る。また、該音声データを音声信号に変換し増幅した後、スピーカ１２５に送り、スピーカ１２５を駆動して音声再生を行う。
ＴＶ送信部１２６は、後述するリモコン装置２００及びシャッター式眼鏡３００に、時分割表示の周期に同期したシャッター開閉制御信号、音声データ及びコンテンツ情報を赤外光通信を用いて無線送出する。
ＴＶ受信部１２７は、後述するリモコン装置２００から赤外光通信により送信される制御信号を受信する。受信した制御信号は、ＴＶ制御部１２０に送られ、ＴＶ制御部１２０は受信した制御信号に応じてテレビ装置１００の各ブロックを制御する。なお、赤外光を用いた無線通信はＴＶ送信部１２６及びＴＶ受信部１２７の通信方式の一例であって、これ以外の種々の無線又は有線による通信方式を用い得る。
本実施例では、テレビ装置１００が本発明における「表示装置」を構成する。
【００１３】
＜シャッター式眼鏡３００＞
次に、シャッター式眼鏡３００について説明する。以下、３つのコンテンツＡ、Ｂ及びＣを視聴するためのシャッター式眼鏡の符号をそれぞれ３００ａ、３００ｂ及び３００ｃとする。なお、シャッター式眼鏡３００ａ、３００ｂ及び３００ｃの相違点はシャッター開閉のタイミングだけで、その他の基本的な構成はいずれのシャッター式眼鏡も共通である。
シャッター式眼鏡３００ａ、３００ｂ及び３００ｃは、眼鏡受信部３０１、眼鏡制御部３０２、シャッター駆動部３０３、シャッター部３０４、音声復号部３０５及びヘッドホン３０６を含んで構成される。
眼鏡受信部３０１は、ＴＶ送信部１２６からのシャッター開閉制御信号、コンテンツ情報及び音声データを受信し、眼鏡制御部３０２に送る。
眼鏡制御部３０２は、受信したシャッター開閉制御信号及びコンテンツ情報によって、シャッター駆動部３０３と音声復号部３０５の制御を行う。
シャッター駆動部３０３はシャッター部３０４の開閉駆動を行う。シャッター部３０４は、眼鏡のレンズ部に配置される液晶パネルであり、駆動電圧のＯＮ／ＯＦＦによってレンズ部のシャッター動作を行う。各シャッター式眼鏡３００のシャッター部３０４は、それぞれ対応するコンテンツが表示パネル１３０に表示されている期間のみ光を透過する開状態となり、それ以外のコンテンツが表示されている期間は光を遮断する閉状態となるように制御される。従って、各視聴者（観察者）がシャッター式眼鏡３００ａ、３００ｂ又は３００ｃを介してテレビ装置１００に表示される時分割された映像を視聴（観察）することにより、各視聴者には、一つのコンテンツＡ，Ｂ又はＣだけが見えるようになる。これにより、複数の視聴者は、装着しているシャッター式眼鏡に対応するコンテンツを同時に視聴することができる。
音声復号部３０５は音声データを音声信号に変換してヘッドホン３０６を駆動する。
本実施例では、シャッター式眼鏡３００が本発明における「シャッター装置」を構成する。シャッター式眼鏡３００は、コンテンツ毎に複数あっても良い。例えば、コンテンツＡに対応するシャッター式眼鏡３００ａを５個用意すれば、５人の視聴者がコンテンツＡを視聴することができる。
【００１４】
＜リモコン装置２００＞
次に、リモコン装置２００について説明する。リモコン装置２００は、ＲＣ受信部２０１、ＲＣ制御部２０２、タッチパネルＳＷ制御部２０３、メモリ２０４、タッチパネルＳＷ２１０及びＲＣ送信部２０５を含んで構成される。
タッチパネルＳＷ２１０は、タッチセンサ２２０及びＬＣＤ２３０を含んで構成される。
タッチセンサ２２０は、ＬＣＤ２３０を覆うように重ね合わせて配置される透明なパネルであり、静電容量や電気抵抗の変化によってユーザがタッチした場所の座標を検出する。タッチセンサ２２０の所定の領域に対してユーザがタッチ操作を行うことによって当該領域に応じたコマンドを入力することができる。
ＬＣＤ２３０には、ウィンドウ、ボタン、リスト、キーパッド、テキスト入力エリア等の、タッチセンサ２２０に対して行うべきタッチ操作に対応するリモコン操作用ＧＵＩ（グラフィカルユーザインターフェース）が表示される。ユーザは、ＬＣＤ２３０においてリモコン操作用ＧＵＩが表示されている位置のタッチセンサ２２０に触れることで、リモ
コン操作が可能である。本実施例に係るリモコン装置２００は、このタッチパネルＳＷ２１０によって操作を行うことができるように構成される。本実施例では、タッチパネルＳＷ２１０が本発明における「タッチパネル」を構成する。
ＲＣ受信部２０１は、ＴＶ送信部１２６から送信されるシャッター開閉制御信号及びコンテンツ情報を受信する。
ＲＣ制御部２０２は、ＲＣ受信部２０１で受信したシャッター開閉制御信号をタッチパネルＳＷ制御部２０３に送る。
メモリ２０４には、ＬＣＤ２３０に表示するリモコン操作用ＧＵＩのデータが格納されている。
ＲＣ制御部２０２は、ＲＣ受信部２０１で受信したコンテンツ情報に基づき、メモリ２０４から対応するリモコン操作用ＧＵＩのデータを読み出し、タッチパネルＳＷ制御部２０３に送る。
タッチパネルＳＷ制御部２０３は、リモコン操作用ＧＵＩを、シャッター開閉制御信号に同期させてＬＣＤ２３０上に時分割して表示させる。従って、タッチパネルＳＷ２１０には、時分割したリモコン操作用ＧＵＩが表示される。各視聴者は、シャッター開閉制御信号に同期して開閉するシャッター式眼鏡３００を装着しているので、リモコン装置２００を見たときに、装着しているシャッター式眼鏡３００のシャッター開閉制御信号に同期したリモコン操作用ＧＵＩだけが見える。
後述するように、リモコン装置２００は３つコンテンツに対応した３つの動作モードに切り換え可能であり、ある動作モードでは対応するコンテンツに関するコマンドを入力可能である。また、該動作モードにおいてリモコン装置２００に対して行った操作は他のコンテンツに影響を及ぼさない。そして、あるコンテンツに対応する動作モードでは、当該コンテンツに関するコマンドを入力するためのリモコン操作用ＧＵＩのみがタッチパネルＳＷ２１０に表示され、他のコンテンツに関するコマンドを入力するためのリモコン操作用ＧＵＩは表示されない。そして、このリモコン操作用ＧＵＩは、当該コンテンツに対応するシャッター式眼鏡３００のシャッター開閉制御信号に同期して、当該シャッター式眼鏡３００が開状態の期間のみタッチパネルＳＷ２１０に表示される。
また、リモコン装置２００が３つのコンテンツのうちいずれのコンテンツに関するコマンドを入力可能な動作モードにも設定されていない状態（入力待機状態）では、いずれのコンテンツ用のリモコン操作用ＧＵＩは表示されない。代わりに、リモコン装置２００を各動作モードに切り替えるための３つのＧＵＩ（後述する３つの“ＯＮ”ボタンのＧＵＩ）が、各コンテンツの時分割表示に同期してタッチパネルＳＷ２１０に時分割表示される。詳細は後述する。
タッチパネルＳＷ２１０に入力されたリモコン操作の情報は、タッチパネルＳＷ制御部２０３によって検出され、ＲＣ制御部２０２に送られる。
ＲＣ制御部２０２は、タッチパネルＳＷ制御部２０３から送られたリモコン操作の情報を処理し、テレビ装置１００への操作コマンドに変換してＲＣ送信部２０５に送る。
ＲＣ送信部２０５は、送られた操作コマンドを、ＴＶ制御信号として赤外線で無線送信する。これにより、ユーザがリモコン装置２００を操作することにより、テレビ装置１００にチャンネル切り替えや映像ソースの切り替えといった所定のコマンドを入力し、実行させることができる。
【００１５】
次に、図２のタイミングチャートを用いて、本実施例に係る映像表示システムの動作について説明する。
図２は、コンテンツ識別信号、各コンテンツの表示タイミング、各シャッター式眼鏡３００のシャッター開閉制御信号、タッチパネルＳＷ２１０のリモコン操作用ＧＵＩの表示タイミング及びリモコン信号Ａの送信タイミングを示したものである。シャッター開閉制御信号は、ＴＶ送信部１２６及びＴＶ受信部１２７と、ＲＣ受信部２０１及びＲＣ送信部２０５と、眼鏡受信部３０１と、の間での同期信号である。
前述した通り、各コンテンツＡ、Ｂ及びＣが時分割で順次切り替えられて表示パネル１
３０に表示され、これに同期するシャッター開閉制御信号がＴＶ送信部１２６から送信される。シャッター開閉制御信号には、図中に示したように、各コンテンツを識別するための識別信号（ＩＤ＝Ａ、Ｂ又はＣ）が先頭に送信される。
コンテンツＡを視聴するためのシャッター式眼鏡３００ａの眼鏡制御部３０２は、コンテンツＩＤ＝Ａを検出し、コンテンツＡの表示期間に同期してシャッター部３０４を開く。また、コンテンツＩＤ＝Ｂ又はＣを検出し、コンテンツＢ又はＣの表示期間はシャッター部３０４を閉じる。よって、シャッター式眼鏡３００ａを装着する視聴者はコンテンツＢ及びＣは見えず、コンテンツＡのみ視聴することができる。コンテンツＢ又はＣを視聴するためのシャッター式眼鏡３００ｂ又は３００ｃのシャッター部３０４の動作も同様である。
一方、リモコン装置２００のタッチパネルＳＷ２１０に表示される各コンテンツに関するコマンドを入力するためのリモコン操作用ＧＵＩも、前述したように、表示パネル１３０に対応するコンテンツが表示されるタイミングに同期して時分割されて表示される。
すなわち、コンテンツＡに関するコマンドを入力するためのリモコン操作用ＧＵＩ  Ａは、対応するコンテンツＡが表示パネル１３０に表示される期間、すなわちシャッター式眼鏡３００ａが開状態になる期間のみ、タッチパネルＳＷ２１０に表示される。これにより、コンテンツＡに関するコマンドを入力するためのリモコン操作用ＧＵＩは、コンテンツＡに対応するシャッター式眼鏡３００ａを掛けた視聴者にしか見えないように構成されている。コンテンツＢ又はＣに関するコマンドを入力するためのリモコン操作用ＧＵＩ  Ｂ又はＣも同様に、シャッター式眼鏡３００ｂ又は３００ｃを掛けた視聴者にだけ見えるように構成されている。
図２のリモコン信号送信パルスは、リモコン装置２００が、テレビ装置１００に対して制御信号を送信するタイミングを示したものである。図２には、リモコン装置２００の操作対象がコンテンツＡに設定されている場合、換言すると、リモコン装置２００がコンテンツＡに関するコマンドを入力可能な動作モードに切り替えられている場合のリモコン信号送信パルスを例示している。この場合、リモコン信号送信パルスは、コンテンツＡの表示に同期し、かつ、該表示期間中に送信される。なお、リモコン装置２００の操作対象コンテンツがコンテンツＢに設定された場合は、リモコン信号送信パルスは、コンテンツＢの表示期間に同期し、且つ該表示期間中に、送信される。コンテンツＣの場合も同様である。
なお、図２は、各コンテンツの表示タイミングと、シャッター式眼鏡３００の開閉タイミングと、コンテンツに関するコマンドを入力するためのリモコン操作用ＧＵＩの表示タイミングと、の同期関係を説明するための図である。本実施例のシステムでは、リモコン装置２００をいずれかのコンテンツに関するコマンドを入力可能な動作モードに切り替えることができ、各動作モードでは対応するコンテンツに関するコマンドを入力するためのリモコン操作用ＧＵＩのみ表示される。例えば、リモコン装置２００がコンテンツＡに関するコマンドを入力可能な動作モードに切り替えられている場合には、コンテンツＢに関するコマンドを入力するためのリモコン操作用ＧＵＩは、コンテンツＢが表示されている期間もＯＦＦである。この状態でコンテンツＢの視聴者がコンテンツＢに関するコマンド入力を開始するためには、後述するように、リモコン装置２００をコンテンツＢに関するコマンドを入力可能な動作モードに切り替えるための操作を行う必要がある。その操作を行うためのリモコン操作用ＧＵＩ（図３の“ＯＮ”ボタン２１２）は、図２に示すように、リモコン装置２００の動作モードによらず、常に、コンテンツＢの時分割表示に同期してタッチパネルＳＷ２１０に表示される。
【００１６】
次に、図３を用いて、本実施例に係るリモコン装置２００によって複数のコンテンツに係る操作を行う方法を説明する。
図３（Ａ）は、表示パネル１３０及びリモコン装置２００上に設けられたタッチパネルＳＷ２１０における表示状態を時系列的に示した概念図である。表示パネル１３０には、時間経過に伴ってコンテンツＡ、コンテンツＢ及びコンテンツＣが順次表示される。シャ
ッター式眼鏡３００ａ、３００ｂ又は３００ｃを各々掛けた視聴者には、前述した通り各々対応するコンテンツＡ、Ｂ又はＣだけが表示パネル１３０上に見える。
タッチパネルＳＷ２１０上のリモコン操作用ＧＵＩも、各コンテンツＡ、Ｂ及びＣの表示タイミングに同期して順次切り換え表示される。
前述のＲＣ制御部２０２は、待機状態（視聴者によるリモコン操作を待機する状態）では、リモコン操作を開始するためのＧＵＩである“ＯＮ”ボタン２１１、２１２及び２１３を、コンテンツ毎に、タッチパネルＳＷ２１０上の重ならない異なる位置に表示させる。具体的には、コンテンツＡに同期してタッチパネルＳＷ２１０画面内の左上の位置２１１に、コンテンツＢに同期して画面内の中央上の位置２１２に、コンテンツＣに同期して画面内の右上の位置２１３に、それぞれ“ＯＮ”ボタンを表示する。タッチセンサ２２０上の、この“ＯＮ”ボタンのＧＵＩが表示されている領域に対応する領域にユーザがタッチすることにより、該“ＯＮ”ボタンに対応するコンテンツに関するコマンドを入力可能な動作モードにリモコン装置２００を切り替えることができる。例えば、コンテンツＡを視聴している視聴者がリモコン操作を行う場合には、まずタッチパネルＳＷ２１０上に表示されている“ＯＮ”ボタン２１１にタッチする。ＲＣ制御部２０２は、タッチパネルＳＷ２１０における“ＯＮ”ボタン２１１のタッチ操作を受けて、リモコン装置２００から入力されるコマンドによる制御対象をコンテンツＡに設定する。これにより、リモコン装置２００は、コンテンツＡの映像に関するコマンドを入力可能な動作モードに切り替えられる。また、ＲＣ受信部２０１で受信したコンテンツＡに関するコンテンツ情報に応じて、コンテンツＡに関するコマンドを入力するためのリモコン操作用ＧＵＩのデータをメモリ２０４から読み出し、タッチパネルＳＷ２１０に表示する。例えば、コンテンツＡがテレビ放送番組映像の場合、タッチパネルＳＷ２１０には、チャンネル切り替えやメニューボタンなど、テレビ放送番組映像に関するコマンド入力を行うためのリモコン操作用ＧＵＩ２１４が表示される。
コンテンツＡの視聴者Ａは、リモコン操作用ＧＵＩ２１４が表示されたタッチパネルＳＷ２１０に対してタッチ操作を行うことにより、テレビ装置１００にコンテンツＡに関するコマンドを入力し実行させることができる。タッチパネルＳＷ２１０が操作されると、ＲＣ制御部２０２は、当該操作に対応するコマンドをＲＣ送信部２０５に送り、コンテンツＡの表示に同期し、かつ、その表示期間中に該コマンドをテレビ装置１００に送信するようＲＣ送信部２０５を制御する。
なお、コンテンツＡの視聴者Ａが“ＯＮ”ボタン２１１にタッチすると、コンテンツＡが表示パネル１３０に表示されている期間のみコンテンツＡに関するコマンド入力用のリモコン操作用ＧＵＩ２１４がタッチパネルＳＷ２１０に表示される。これにより、視聴者ＡにはコンテンツＡに関するコマンド入力用のリモコン操作用ＧＵＩ２１４がタッチパネルＳＷ２１０上に見えるようになる。また、このとき、コンテンツＢが表示パネルに表示されている期間には、リモコン装置２００をコンテンツＢに関するコマンドを入力可能な動作モードに切り替えるためにタッチすべき“ＯＮ”ボタン２１２のみが表示される。コンテンツＣが表示パネルに表示されている期間には、同様に“ＯＮ”ボタン２１３のみが表示される。よって、コンテンツＢの視聴者Ｂには“ＯＮ”ボタン２１２が見えているだけである。また、コンテンツＣの視聴者Ｃには“ＯＮ”ボタン２１３が見えているだけである。この状態で、タッチパネルＳＷ２１０に操作入力がされずに所定の時間が経過すると、タッチパネルＳＷ２１０に表示されているコンテンツＡに関するコマンド入力用のリモコン操作用ＧＵＩ２１４は消去され、前述の待機状態に戻る。すなわち、リモコン装置２００を各コンテンツに対応する動作モードに切り替えるために操作すべきＧＵＩである“ＯＮ”ボタン２１１、２１２及び２１３のみが各コンテンツの時分割表示に同期してタッチパネルＳＷ２１０に時分割表示される状態となる。また、ＲＣ制御部２０２は、“ＯＮ”ボタンの操作のみを検出するようにする。これにより、他の視聴者がリモコン装置２００を手にしたときの誤操作を防ぐことができる。
【００１７】
図３（Ｂ）は、図３（Ａ）と同様に、リモコン装置２００の待機状態から、コンテンツ
Ｂの視聴者Ｂがリモコン装置２００の操作を開始する場合のタッチパネルＳＷ２１０の表示を模式的に示した概念図である。待機状態では、シャッター式眼鏡３００ｂを装着した視聴者Ｂには、タッチパネルＳＷ２１０上に“ＯＮ”ボタン２１２のみが見えている。視聴者Ｂが“ＯＮ”ボタン２１２に対してタッチ操作を行うと、リモコン装置２００は、コンテンツＢに対応する動作モードに切り替えられ、タッチパネルＳＷ２１０上には、コンテンツＢに関するコマンド入力用のリモコン操作用ＧＵＩ２１５が表示される。図３（Ｂ）に例示したリモコン操作用ＧＵＩ２１５は、コンテンツＢの入力ソースがＷｅｂブラウザ１０２である場合の例であり、このＧＵＩには図示するようにＵＲＬ入力や「戻る」「進む」ボタンが含まれる。図３（Ａ）の場合と同様、視聴者Ａ及びＣには、このコンテンツＢに関するコマンド入力用のリモコン操作用ＧＵＩ２１５は見えない。
【００１８】
本実施例においては、各コンテンツに対応する“ＯＮ”ボタンのＧＵＩが、本発明における「Ｎ個のタッチ操作可能なボタン」の各々を構成し、“ＯＮ”ボタンのＧＵＩ表示を行うタッチパネルＳＷ２１０が、本発明における「表示部」を構成する。各コンテンツを制御するコマンド入力用のリモコン操作用ＧＵＩ２１４や２１５が、本発明の「Ｎ種類のグラフィカルユーザインターフェース」の各々を構成する。
本実施例では、本発明の「表示部」が１つのタッチパネルＳＷ２１０における複数の異なる重ならない操作領域として構成されている例を説明したが、各“ＯＮ”ボタンのＧＵＩが別個のタッチパネルに表示される構成でも良い。要は、各コンテンツに対応する動作モードにリモコン装置２００を切り替えるためにユーザが操作すべきボタンが、異なる位置に存在するように構成されていればよい。これにより、各コンテンツの視聴者は、誤操作することなくリモコン装置２００を自分の視聴しているコンテンツに関するコマンドを入力可能な動作モードに切り替えることができる。また、各コンテンツの視聴者は、自分の視聴しているコンテンツに対応する動作モードにリモコン装置２００を切り替えるためのボタンしか見えないので、容易に自分の視聴しているコンテンツに対応する動作モードにリモコン装置２００を切り替えることができる。
【００１９】
図４は、リモコン装置２００の動作モードを切り替える処理を表すフローチャートである。リモコン装置２００は、ＲＣ制御部２０２により、所定時間入力操作が無い場合に、前述した入力待機状態になるよう制御される（Ｓ５０１）。この初期入力待機状態では、タッチパネルＳＷ２１０に表示されるリモコン操作用ＧＵＩは、図３に示したリモコン装置２００の動作モードを切り替えるためのＧＵＩである“ＯＮ”ボタン２１１、２１２及び２１３だけである。
Ｓ５０２で、タッチパネルＳＷ２１０に対してリモコン操作（タッチ操作）が入力されると、Ｓ５０３において、当該リモコン操作が、コンテンツＡに対応する動作モードにリモコン装置２００を切り替えるための“ＯＮ”ボタン２１１の操作か否かを判定する。“ＯＮ”ボタン２１１の操作と判断された場合、リモコン装置２００をコンテンツＡに対応する動作モードに切り替え、リモコン信号送信パルスをコンテンツＡの表示タイミング同期に切り替える。また、タッチパネルＳＷ２１０にコンテンツＡを制御するコマンドを入力するためのリモコン操作用ＧＵＩ（図３（Ａ）のＧＵＩ２１４）を表示する（Ｓ５０４）。次にＳ５０９に進む。
Ｓ５０３において、リモコン操作がコンテンツＡに対応する動作モードに切り替える“ＯＮ”ボタン２１１の操作ではなかったと判断された場合、Ｓ５０５に進む。Ｓ５０５において、前記入力されたリモコン操作がコンテンツＢに対応する動作モードに切り替えるための“ＯＮ”ボタン２１２の操作か否かを判定する。“ＯＮ”ボタン２１２の操作と判断された場合、リモコン装置２００をコンテンツＢに対応する動作モードに切り替え、リモコン信号送信パルスをコンテンツＢの表示タイミング同期に切り替える。また、タッチパネルＳＷ２１０にコンテンツＢを制御するコマンドを入力するためのリモコン操作用ＧＵＩ（図３（Ｂ）のＧＵＩ２１５）を表示する（Ｓ５０６）。次にＳ５０９に進む。
Ｓ５０５において、リモコン操作がコンテンツＢに対応する動作モードに切り替える“
ＯＮ”ボタン２１２の操作ではなかったと判断された場合、Ｓ５０７に進む。Ｓ５０７において、前記入力されたリモコン操作がコンテンツＣに対応する動作モードに切り替える“ＯＮ”ボタン２１３の操作か否かを判定する。“ＯＮ”ボタン２１３の操作と判断された場合、リモコン装置２００をコンテンツＣに対応する動作モードに切り替え、リモコン信号送信パルスをコンテンツＣの表示タイミング同期に切り替える。また、タッチパネルＳＷ２１０にコンテンツＣを制御するコマンドを入力するためのリモコン操作用ＧＵＩ（図示省略）を表示する（Ｓ５０８）。次にＳ５０９に進む。
Ｓ５０７において、リモコン操作がコンテンツＣに対応する動作モードに切り替える“ＯＮ”ボタン２１３の操作ではなかったと判断された場合、Ｓ５０１の初期入力待機状態に戻る。
Ｓ５０９において、タッチパネルＳＷ２１０にコンテンツＡ，Ｂ又はＣのいずれかに関するコマンド入力用のリモコン操作用ＧＵＩが各コンテンツの時分割表示に同期して表示された状態で、リモコン操作入力待機状態となる。
Ｓ５１０で、入力待機時間が所定のタイムアウト時間Ｔを越えたか判定し、入力待機時間がタイムアウト時間Ｔを超えたと判定された場合、Ｓ５０１の初期入力待機状態に戻る。すなわち、コンテンツＡ，Ｂ又はＣに関するコマンド入力用のリモコン操作用ＧＵＩの表示を消去し、“ＯＮ”ボタン２１１、２１２及び２１３のみがタッチパネルＳＷ２１０に表示された状態に戻る。タイムアウト時間ＴはタッチパネルＳＷ２１０に表示される各コンテンツに関するコマンド入力用のリモコン操作用ＧＵＩ表示をタイムアウト処理によって初期入力待機状態に戻すための予め定められる待ち時間である。
タイムアウト時間内にリモコン操作入力がされた場合（Ｓ５１１）、当該リモコン操作入力が動作モード切り替え用の“ＯＮ”ボタンの操作か判定する（Ｓ５１２）。いずれかの“ＯＮ”ボタンの操作と判定された場合（Ｓ５１２：Ｙｅｓ）、Ｓ５０３以降の動作モード切り替え処理を行う。
リモコン操作入力がいずれの“ＯＮ”ボタンでもない場合（Ｓ５１２：Ｎｏ）、入力されたリモコン操作に対応するコマンドを判定する（Ｓ５１３）。そして、当該コマンドに対応するＴＶ制御信号をＳ５０４、Ｓ５０６又はＳ５０８で切り替えられたリモコン信号送信パルスによってテレビ装置１００に送信し（Ｓ５１４）、Ｓ５０９の入力待機状態に戻る。
【００２０】
図５は、テレビ装置１００の動作を表すフローチャートである。Ｓ７０１は、リモコン装置２００からのＴＶ制御信号の受信待機状態である。Ｓ７０２では、ＴＶ受信部１２７がＴＶ制御信号を受信する。Ｓ７０３で、受信したＴＶ制御信号が、コンテンツＡの表示タイミングに同期しているかを判定する。すなわち、リモコン信号送信パルスの位相（ＲＣ信号位相）がコンテンツＡの表示タイミングに同期しているか判定する。コンテンツＡの表示タイミングに同期している場合、Ｓ７０４でコンテンツＡに関するコマンドがテレビ装置１００において実行される。Ｓ７０５及びＳ７０７でも同様に、受信したＴＶ制御信号がコンテンツＢやＣの表示タイミングと同期しているか判定し、判定結果に応じてコマンド実行対象のコンテンツを選択し、選択したコンテンツに関して入力されたコマンドを実行する。
【００２１】
次に、図６を用いて、リモコン装置２００のタッチパネルＳＷ２１０及びタッチパネルＳＷ制御部２０３の構成について詳細に説明する。前述したように、タッチパネルＳＷ２１０は、タッチセンサ２２０とＬＣＤ２３０を重ねて構成されている。上述したリモコン装置２００の動作モードを切り替える“ＯＮ”ボタンのＧＵＩ２１１、２１２及び２１３は、ボタン図形２１６、２１７及び２１８により構成される。各ボタン図形２１６、２１７及び２１８は、それぞれコンテンツＡ，Ｂ及びＣの時分割表示に同期して、ＬＣＤ２３０上の異なる位置に表示領域が重ならないように表示される。タッチセンサ２２０は透明のパネルにより構成され、ＬＣＤ２３０に表示されるリモコン操作用ＧＵＩを透過するため、ＬＣＤ２３０上のリモコン操作用ＧＵＩの表示位置（表示領域）がタッチセンサ２２
０上の操作位置（操作領域）となる。
タッチパネルＳＷ制御部２０３は、位置検出部２０３ａ、ＬＣＤ駆動部２０３ｂ、操作判定部２０３ｃ及びタイミング発生部２０３ｄを含んで構成される。
ＬＣＤ駆動部２０３ｂは、ＲＣ制御部２０２から送られるシャッター式眼鏡３００ａ、３００ｂ及び３００ｃの各々のシャッター開閉制御信号に同期して、ＬＣＤ２３０にボタン図形２１６、２１７及び２１８を順次表示させる。
位置検出部２０３ａは、タッチセンサ２２０におけるユーザが操作した位置（タッチした位置）のｘ座標及びｙ座標を検出する。ｘ座標及びｙ座標は図示するようにタッチセンサ２２０の左下を原点とする。ただし座標の設定方法はこの例に限らない。
操作判定部２０３ｃは、位置検出部２０３ａから送られたｘ座標及びｙ座標と、ＬＣＤ駆動部２０３ｂが上記各ボタン図形を表示している位置の座標情報とを比較し、ユーザがボタン図形２１６、２１７又は２１８のいずれを操作したか（タッチしたか）を判定する。このとき、ボタン図形２１６、２１７及び２１８は、時分割表示されているが、その表示位置がそれぞれ異なることによって、どのボタン図形が操作されたのか判定することができる。
誤操作を抑制するために、ボタン図形２１６、２１７及び２１８の表示位置には適度な間隔を与える。また、操作判定部２０３ｃは、ユーザがタッチセンサ２２０を操作した位置と各ボタン図形の表示位置とが一致している時間がある程度の長さ持続した場合に限り、ユーザがそのボタン図形を操作したと判定する。これにより、ユーザが意図せずタッチセンサ２２０におけるボタン図形の表示位置に触れてしまった場合の誤作動を抑制する。
また、ユーザがシャッター式眼鏡３００ａ、３００ｂ及び３００ｃを掛けることにより視界が暗くなった場合でも、ＬＣＤ２３０のバックライト（図示省略）によってリモコン操作用ＧＵＩの視認性が低下することを抑制できる。
【００２２】
本実施例では、Ｎ個（Ｎ＝３）のコンテンツのうちｎ番目（ｎは１、２、・・・Ｎ）のコンテンツがテレビ装置１００に表示されている期間に、Ｎ個の“ＯＮ”ボタンのうちｎ番目の映像に対応する“ＯＮ”ボタンのみがタッチパネルＳＷ２１０に表示される。これにより、テレビ装置１００におけるＮ個のコンテンツの時分割表示に同期して、Ｎ個の“ＯＮ”ボタンがタッチパネルＳＷ２１０において時分割表示されることになる。従って、ｎ番目の映像に対応するシャッター式眼鏡３００を介してタッチパネルＳＷ２１０を見る視聴者には、ｎ番目の映像に対応する動作モードにリモコン装置２００を切り替えるための“ＯＮ”ボタンしか見えない。視聴者は、タッチパネルＳＷ２１０に見えている“ＯＮ”ボタンをタッチ操作すれば、リモコン装置２００を自分の視聴しているコンテンツを制御するコマンドを入力可能な動作モードに切り替えることができる。すなわち、視聴者は、複数のリモコンの中から自分の視聴しているコンテンツを制御するコマンドを入力可能なリモコンを探したり、該コンテンツに対応する動作モードにリモコン装置２００を切り替えるために操作すべきボタンを識別したりする必要がない。よって、各視聴者は、特別な操作を行わなくても、直感的に自分の視聴しているコンテンツに関するコマンド入力を行うためのリモコン操作を行うことができる。また、タッチパネルＳＷ２１０に表示されるリモコン操作用ＧＵＩをリモコン装置２００の動作モード及びコンテンツに応じて切り替えるので、各視聴者は、１個のリモコン装置２００を用いて各視聴しているコンテンツに関するコマンドを入力することができる。
【００２３】
なお、本発明及び本実施例における「複数の映像」「複数のコンテンツ」とは、映像の系統に関する概念を表し、具体的な映像の内容に関する概念を表すものではない。例えば、入力処理部１１１に入力される映像がテレビ放送の１ＣＨ、入力処理部１１２に入力される映像がブラウザ、入力処理部１１３に入力される映像がテレビ放送の２ＣＨの場合、コンテンツＡは１ＣＨ、コンテンツＢはブラウザ、コンテンツＣは２ＣＨである。この場合、コンテンツＡに関するコマンドとは、チャンネル切り替えやボリューム調節などであり、コンテンツＢに関するコマンドとは「戻る」や「進む」などである。入力処理部１１
１に入力される映像がテレビ放送の１ＣＨからブラウザに変更された場合、コンテンツＡはブラウザであり、コンテンツＡに関するコマンドは「戻る」や「進む」などである。すなわち「コンテンツＡに対応する動作モード」とは、入力処理部１１１という第１の映像系統の映像に関するコマンドを入力可能な動作モードであり、入力処理部１１１の入力がテレビ放送の１ＣＨならチャンネル切り替えなど、ブラウザなら「戻る」などである。従って、各系統の映像の具体的な内容が同じである状況もあり得る。例えば、第１の映像（コンテンツＡ）がテレビ放送の１ＣＨ、第２の映像（コンテンツＢ）もテレビ放送の１ＣＨという場合もある。この場合に、リモコン装置２００がコンテンツＡに対応する動作モードに切り替えられると、リモコン装置２００は、第１の映像系統に入力されている１ＣＨの映像を制御可能だが、第２の映像系統に入力されている１ＣＨの映像を制御することはできない。例えば、リモコン装置２００によりコントラストを高める画質調整を行う操作を行うと、シャッター式眼鏡３００ａを介して見える１ＣＨの映像はコントラストが高まるが、シャッター式眼鏡３００ｂを介して見える１ＣＨの映像のコントラストは変化しない。
【００２４】
なお、本実施例では、リモコン装置２００のタッチパネルＳＷ２１０のリモコン操作用ＧＵＩのデータをメモリ２０４から読み出す構成を例示したが、テレビ装置１００からＧＵＩのデータを供給することも可能である。この場合、ＧＵＩのデータは、シャッター開閉制御信号及び音声データと合わせて、ＴＶ送信部１２６から送信され、リモコンのＲＣ受信部２０１で受信されるようにする。このようにすれば、リモコン装置２００のＧＵＩ表示を、各コンテンツに最適なものに更新することができる。
【００２５】
また、本実施例では、タッチパネルＳＷ２１０は、リモコン装置２００の動作モードを切り替えるためのボタンに加えて、各動作モードにおいてコンテンツに関するコマンドを入力するためのＧＵＩを表示可能な構成を例示した。しかしながら、リモコン装置２００に、タッチパネルＳＷ２１０以外に通常の操作ボタンも配置し、タッチパネルＳＷ２１０の構成を最小限に抑えることも可能である。例えば、タッチパネルＳＷ２１０はリモコン装置２００の動作モードを切り替えるための３個のボタンを時分割表示するだけの構成とし、各コンテンツを制御するためのインターフェースは押下操作可能な物理的なボタン等により構成しても良い。例えば、図３のＧＵＩ２１４に対応するチャンネル切り替えボタンや音量調節ボタンや、ＧＵＩ２１５に対応する「戻る」「進む」ボタンやＵＲＬ入力を行うためのキーボードを、押しボタンスイッチによりリモコン装置２００に備える。
【００２６】
また、リモコン装置２００の動作モードを切り替えるための３個のボタンは、本実施例のようなタッチ操作可能なボタンではなく、押下操作可能なボタンであっても良い。その場合、各ボタンがどのコンテンツに対応する動作モードにリモコン装置２００を切り替えるためのボタンであるかを指し示す標識を表示する表示部をリモコン装置２００に設ける。そして、各コンテンツの映像がテレビ装置１００に表示されている期間に、当該コンテンツに対応する動作モードに切り替えるためのボタンを指し示す標識のみを表示部が表示するようにする。例えば、各ボタンに隣接するように３個のＬＥＤを配置し、ＬＥＤの発光を各ボタンを指し示す標識とすることができる。この場合、例えばコンテンツＡに対応する動作モードにリモコン装置２００を切り替えるためのボタンＡに隣接するＬＥＤを、コンテンツＡがテレビ装置１００に表示されている期間のみ発光させ、それ以外の期間は発光させないようにする。コンテンツＢに対応する動作モードにリモコン装置２００を切り替えるためのボタンＢに隣接するＬＥＤを、コンテンツＢがテレビ装置１００に表示されている期間のみ発光させ、それ以外の期間は発光させないようにする。コンテンツＣに対応する動作モードにリモコン装置２００を切り替えるためのボタンＣに隣接するＬＥＤを、コンテンツＣがテレビ装置１００に表示されている期間のみ発光させ、それ以外の期間は発光させないようにする。すなわち、３個のＬＥＤを３個のコンテンツの時分割表示に同期させて時分割発光させる。これにより、シャッター式眼鏡３００ａを介してリモコ
ン装置２００を見る視聴者には、ボタンＡに隣接するＬＥＤのみが発光しているように見える。シャッター式眼鏡３００ｂを介してリモコン装置２００を見る視聴者には、ボタンＢに隣接するＬＥＤのみが発光しているように見える。シャッター式眼鏡３００ｃを介してリモコン装置２００を見る視聴者には、ボタンＣに隣接するＬＥＤのみが発光しているように見える。よって、各視聴者は、発光しているＬＥＤに隣接するボタンを押すことにより、リモコン装置２００を、各視聴者が視聴しているコンテンツに対応する動作モードに切り替えることができる。各視聴者は、３つのボタンＡ，Ｂ及びＣのうち、どのボタンを押せば自分の視聴しているコンテンツに対応する動作モードにリモコン装置２００を切り替えることができるのかを、容易に判断することができる。各コンテンツに対応するボタンを指し示す標識は、ボタンに隣接するＬＥＤの発光に限らず、ボタン自体を発光させるバックライトでも良いし、ボタンに隣接する液晶パネルやＥＬパネルにおける文字、数字、記号、図形、色などの表示であっても良い。
【００２７】
本実施例では、リモコン装置２００を各コンテンツに対応する動作モードの切り替えるためのボタンが、タッチパネルＳＷ２１０に表示されるタッチ操作可能なボタンや押下操作可能なボタンにより、コンテンツの数だけリモコン装置２００に備えられる。物理的なボタンの場合、各ボタンを指し示す標識をコンテンツの数だけ表示する表示部も備える。タッチパネルＳＷ２１０のボタンの表示や表示部の標識の表示を、テレビ装置１００における３つのコンテンツの時分割表示に同期させて時分割で行う。各視聴者がシャッター式眼鏡３００を介してリモコン装置２００を見た時にタッチパネルＳＷ２１０に見えるボタンや指し示す標識が見えるボタンを押すことにより、リモコン装置２００が自分の視聴しているコンテンツに対応する動作モードに切り替わる。これにより、リモコン装置２００は当該動作モードに対応するコンテンツに関するコマンドのみをテレビ装置１００に入力できる状態となる。一方、通常の押しボタン列に隣接して、シャッター開閉制御信号に同期して隣接するボタンの表示を行うＬＣＤを配置し、各コンテンツの操作ボタンを指し示す構成にしてもよい。このとき、各コンテンツに対する操作ボタンは、前述したタッチパネルＳＷの場合と同様、独立したボタンであって、異なる位置に配置される。本実施例では、映像表示装置をテレビとしたが、それ以外の一般の映像表示システムに対しても、本発明が適用可能である。
上記実施例では、３つの映像コンテンツを同時視聴可能な映像表示システムを例に説明したが、同時視聴可能な映像コンテンツ数Ｎは２以上の整数であればよい。
【符号の説明】
【００２８】
１００：テレビ装置、２００：リモコン装置、２１０：タッチパネルＳＷ、３００：シャッター式眼鏡
【図１】
2011151457.tif 000003
【図２】
2011151457.tif 000004
【図３】
2011151457.tif 000005
【図４】
2011151457.tif 000006
【図５】
2011151457.tif 000007
【図６】
2011151457.tif 000008